(57)【要約】【課題】浴室が金属を含む壁で構成されていても、電波式のリモコンによって、浴室に関連する浴室機器を遠隔操作することができる浴室システムを提供することを目的とする。【解決手段】金属を含む壁によって構成される浴室と、前記浴室に関連する浴室機器と、前記浴室機器を動作させる電波式のリモコンと、前記リモコンからの信号を受信する受信部と、を備え、前記受信部は、前記浴室の前記壁よりも上方に配置されることを特徴とする浴室システムが提供される。【選択図】図１
2019047211.tif 000002
【特許請求の範囲】
【請求項１】
金属を含む壁によって構成される浴室と、
前記浴室に関連する浴室機器と、
前記浴室機器を動作させる電波式のリモコンと、
前記リモコンからの信号を受信する受信部と、
を備え、
前記受信部は、前記浴室の前記壁よりも上方に配置されることを特徴とする浴室システム。
【請求項２】
前記受信部は、前記浴室と、前記浴室が設置される建物の躯体の一部であって前記浴室の上方に位置する躯体の一部と、の間の浴室上部空間に配置されることを特徴とする請求項１記載の浴室システム。
【請求項３】
前記受信部は、上方から見たときに、前記浴室上部空間の中央に配置されることを特徴とする請求項２記載の浴室システム。
【請求項４】
前記浴室機器は、前記浴室上部空間に設けられ、
前記受信部は、前記浴室機器よりも上方に設けられることを特徴とする請求項２または３に記載の浴室システム。
【請求項５】
前記受信部を保持する保持部材をさらに備え、
前記保持部材は、非金属材料で形成されることを特徴とする請求項１〜４のいずれか１つに記載の浴室システム。
【請求項６】
前記浴室の前記壁の天井の少なくとも一部に、前記リモコンからの電波が通過可能な電波通過部が設けられることを特徴とする請求項１〜５のいずれか１つに記載の浴室システム。
【請求項７】
前記受信部は、前記電波通過部の上に設けられることを特徴とする請求項６記載の浴室システム。
【発明の詳細な説明】
【技術分野】
【０００１】
本発明の態様は、一般的に、浴室システムに関する。
【背景技術】
【０００２】
浴室においては、例えば、空調機器や給湯器などの機器が利用されている。これらの機器を操作するためのリモコンは、例えば有線通信を行うものであり、浴室又は浴室の傍（脱衣所など）に設けられる。この場合、使用者は、機器の使用に際して、その都度、浴室や浴室の傍まで行く必要があり、使い勝手が悪いことがあった。
【０００３】
また、近年においては、浴室に関連する機器（浴室機器）の多機能化や多種化が進んでいる。例えば、浴室の空調機器として、換気機能、衣類乾燥機能、浴室暖房機能を有する浴室換気暖房乾燥機が開発されている。浴室暖房機能によって浴室を暖めることにより、ヒートショック（温度差によって血圧が大きく変動し心筋梗塞や脳梗塞が引き起こされること）を抑制できる。また、例えば、浴室には、掃除機器が設けられることもある。この掃除機器は、浴槽に自動的に洗剤や湯を散布して、浴槽を掃除する。このように、浴室に関連する機器の多機能化や多種化が進む中で、これらの機器を操作するためのリモコンが浴室や浴室の傍に設置されていると、使用者が浴室や浴室の傍まで行く頻度が増え、使い勝手が悪くなってしまう恐れがある。
【先行技術文献】
【特許文献】
【０００４】
【特許文献１】特開２００７−１８７３３９号公報
【発明の概要】
【発明が解決しようとする課題】
【０００５】
特許文献１では、赤外線を用いた無線操作システムが提案されている。この無線操作システムにおいては、赤外線の受信器が浴室及び脱衣所の２箇所に設置される。これにより、リモコンによって機器を操作することができる範囲が広くなる。しかし、赤外線は、建物の壁を通過しにくいため、受信器から離れた部屋（例えばリビングルームなど）からは、機器を操作することが困難である。
【０００６】
これに対して、建物の壁を通過しやすい電波による無線通信を用いる方法が考えられる。しかし、このような電波は、金属等によって反射されるため、金属を含む壁で構成された浴室へは届きにくい場合がある。
【０００７】
本発明は、かかる課題の認識に基づいてなされたものであり、浴室が金属を含む壁で構成されていても、電波式のリモコンによって、浴室に関連する浴室機器を遠隔操作することができる浴室システムを提供することを目的とする。
【課題を解決するための手段】
【０００８】
第１の発明は、金属を含む壁によって構成される浴室と、前記浴室に関連する浴室機器と、前記浴室機器を動作させる電波式のリモコンと、前記リモコンからの信号を受信する受信部と、を備え、前記受信部は、前記浴室の前記壁よりも上方に配置されることを特徴とする浴室システムである。
【０００９】
この浴室システムによれば、受信部が浴室の壁よりも上方に配置されることにより、浴室の壁での反射によってリモコンからの電波が受信されにくくなることを抑制できる。これにより、浴室が金属を含む壁で構成されていても、電波式のリモコンによって浴室機器を、浴室から離れた部屋から遠隔操作することができる。
【００１０】
第２の発明は、第１の発明において、前記受信部は、前記浴室と、前記浴室が設置される建物の躯体の一部であって前記浴室の上方に位置する躯体の一部と、の間の浴室上部空間に配置されることを特徴とする浴室システムである。
【００１１】
この浴室システムによれば、受信部が例えば浴室に隣接する部屋等に露出しないため、デザイン性を損ねることなく、電波式のリモコンによって浴室機器を遠隔操作することが可能となる。
【００１２】
第３の発明は、第２の発明において、前記受信部は、上方から見たときに、前記浴室上部空間の中央に配置されることを特徴とする浴室システムである。
【００１３】
この浴室システムによれば、浴室システムが設置される建物の間取りによって、リモコンからの電波が受信部に届きにくくなることを抑制できる。
【００１４】
第４の発明は、第２または第３の発明において、前記浴室機器は、前記浴室上部空間に設けられ、前記受信部は、前記浴室機器よりも上方に設けられることを特徴とする浴室システムである。
【００１５】
この浴室システムによれば、浴室機器が金属部材を含んでいても、リモコンからの電波が浴室機器によって遮られて受信部に届きにくくなることを抑制できる。
【００１６】
第５の発明は、第１〜第４のいずれか１つの発明において、前記受信部を保持する保持部材をさらに備え、前記保持部材は、非金属材料で形成されることを特徴とする浴室システムである。
【００１７】
この浴室システムによれば、保持部材によって、受信部の位置を調整することができる。このとき、保持部材が非金属材料で形成されることにより、リモコンからの電波が保持部材によって遮られて受信部に届きにくくなることを抑制できる。
【００１８】
第６の発明は、第１〜第５のいずれか１つの発明において、前記浴室の前記壁の天井の少なくとも一部に、前記リモコンからの電波が通過可能な電波通過部が設けられることを特徴とする浴室システムである。
【００１９】
この浴室システムによれば、浴室の内部からでも、電波式のリモコンで浴室機器を遠隔操作することができる。
【００２０】
第７の発明は、第６の発明において、前記受信部は、前記電波通過部の上に設けられることを特徴とする浴室システムである。
【００２１】
この浴室システムによれば、浴室の内部に配置されたリモコンからの電波が、より受信部へ届きやすい。
【発明の効果】
【００２２】
本発明の態様によれば、浴室が金属を含む壁で構成されていても、電波式のリモコンによって、浴室に関連する浴室機器を遠隔操作することができる浴室システムが提供される。
【図面の簡単な説明】
【００２３】
【図１】実施形態に係る浴室システムを例示する側面図である。
【図２】実施形態に係る浴室システムを例示するブロック図である。
【図３】実施形態に係る浴室システムを例示する斜視図である。
【図４】実施形態に係る浴室システムが設けられた建物の一部を例示する平面図である。
【図５】実施形態に係る浴室の壁を例示する断面図である。
【図６】実施形態に係る浴室の床を例示する断面図である。
【図７】実施形態に係る浴室及び浴室上部空間を例示する平面図である。
【図８】実施形態に係る別の浴室システムを例示する側面図である。
【図９】実施形態に係る別の浴室システムを例示する側面図である。
【発明を実施するための形態】
【００２４】
以下、本発明の実施の形態について図面を参照しつつ説明する。なお、各図面中、同様の構成要素には同一の符号を付して詳細な説明は適宜省略する。
【００２５】
図１は、実施形態に係る浴室システムを例示する側面図である。  
図２は、実施形態に係る浴室システムを例示するブロック図である。  
図１に示すように、実施形態に係る浴室システム１００は、浴室１０と、浴室１０に関連する浴室機器２０と、リモコン３０と、受信部４０と、を有する。
【００２６】
浴室１０は、建物の躯体５０に設けられる。浴室１０は、例えば、金属を含む壁１１で構成される。また、浴室１０の内部には、浴槽１５が設けられる。
【００２７】
浴室１０に関連する浴室機器２０は、浴室１０の内部又は浴室１０の外部に設けられる。実施形態において、浴室機器２０は少なくとも１つ設けられる。浴室機器２０は、複数設けられてもよい。
【００２８】
図２に示すように、本願明細書において、浴室１０に関連する浴室機器２０という範囲には、空調機器２１、掃除機器２２、給湯器２３、浴槽１５の排水栓２４、浴室の照明２５、マッサージ機器２６、及び、これらの動作を制御する制御部２７を含む。なお、図１には、浴室機器２０として、空調機器２１及び制御部２７のみが図示されている。
【００２９】
空調機器２１は、浴室１０の天井に設けられる。空調機器２１は、温風を吹き出して浴室１０内を暖める暖房機能、風（例えば温風）を吹き出して浴室１０内に吊るされた衣類等を乾燥させる乾燥機能、及び、浴室１０内を換気する換気機能、の少なくともいずれかを有する。空調機器２１は、例えば浴室換気暖房乾燥機である。空調機器２１は、換気扇でもよい。
【００３０】
掃除機器２２は、浴室１０の内部に設けられる。掃除機器２２は、例えば、浴槽１５の内壁に洗剤や水（湯）を散布する機器である。または、掃除機器２２は、浴室１０の床（洗い場）に水や除菌水等を散布する機器でもよい。
【００３１】
給湯器２３は、例えば浴室１０の外部に設けられ、浴槽１５や浴室１０内の水栓装置に湯を供給する。
【００３２】
マッサージ機器２６は、例えば浴槽１５に設けられ、浴槽１５内の水（湯）に泡を発生させる気泡発生装置である。または、マッサージ機器２６は、浴槽１５内に水流を発生させる水流発生装置である。浴室機器２０は、吐水装置であってもよい。例えば、吐水装置から浴槽１５内の使用者の肩に向けて湯が吐出される（肩湯）。
【００３３】
排水栓２４は、浴槽１５に設けられる。排水栓２４が開くことで、浴槽１５内の水や湯が排出される。照明２５は、浴室１０の例えば天井等に設けられる照明である。
【００３４】
制御部２７は、例えばマイコンなどを含む回路装置である。制御部２７からの信号に基づいて、その他の浴室機器２０（空調機器２１、掃除機器２２、給湯器２３、排水栓２４、照明２５及びマッサージ機器２６など）は、動作することができる。また、浴室機器２０という範囲には、信号を中継する機器が含まれてもよい。
【００３５】
リモコン３０は、浴室機器２０を動作させる電波式のリモコンである。すなわち、使用者は、リモコン３０を操作することにより、浴室機器２０の動作を操作することができる。浴室機器２０が複数設けられた場合、リモコン３０は、複数の浴室機器２０の少なくともいずれかを動作させる。
【００３６】
リモコン３０は、例えば浴室１０の外部に設置される。リモコン３０は、例えば、リビングルームやキッチンに設置される。リモコン３０は、持ち運び可能であってもよいし、浴室１０の内部や、浴室１０に隣接する脱衣所等に設置されてもよい。
【００３７】
受信部４０は、リモコン３０からの電波（無線信号）を受信するアンテナ等の電波受信モジュールを有する。
【００３８】
使用者がリモコン３０に設けられたスイッチやボタン等を操作すると、リモコン３０は、使用者の操作に応じて電波（無線信号）を送信する。受信部４０は、リモコン３０から送信された電波（無線信号）を受信すると、浴室機器２０の動作を制御する信号を浴室機器２０へ送信する。浴室機器２０は、受信部４０からの信号に基づいて動作する。
【００３９】
図１及び図２に示す例では、受信部４０は、制御部２７へ信号を送信する。制御部２７は、受信部４０からの信号を受信すると、その他の浴室機器２０（空調機器２１、掃除機器２２、給湯器２３、排水栓２４、照明２５及びマッサージ機器２６など）に、その動作を制御する信号を送信する。
【００４０】
電波通信には、例えば、３００メガヘルツ（ＭＨｚ）以上５ギガヘルツ（ＧＨｚ）以下程度の周波数帯域の電波が用いられる。リモコン３０と受信部４０との間の電波通信には、例えば２．４ＧＨｚの電波が用いられる。受信部４０と制御部２７との間の通信は、有線通信であっても無線通信（例えば電波通信）であってもよい。制御部２７とその他の浴室機器２０との通信は、有線通信であっても無線通信（例えば電波通信）であってもよい。
【００４１】
図３は、実施形態に係る浴室システムを例示する斜視図である。  
図４は、実施形態に係る浴室システムが設けられた建物の一部を例示する平面図である。  
前述したように、浴室１０は金属を含む壁１１によって構成される。なお、壁１１によって構成された浴室１０という範囲には、浴室１０に壁１１とは別に、ドア１３や窓などが設けられる場合も含む。本願明細書において、壁１１とは、ドア１３、窓、および、浴室機器２０が設置される開口部などを含まない領域をいう。
【００４２】
図３及び図４に示すように、壁１１は、第１〜第４の側壁１１ａ〜１１ｄと、天井１１ｅ（天井板）と、床１１ｆ（床板）と、によって構成される。  
第１〜第４の側壁１１ａ〜１１ｄは、浴室１０の四方を囲み、浴室１０の側面を形成する。天井１１ｅは、浴室１０の天面を形成する。床１１ｆは、浴槽１５の側方に位置する洗い場の床であり、浴室１０の底面を形成する。浴室１０は、第１〜第４の側壁１１ａ〜１１ｄと、天井１１ｅと、床１１ｆと、によって区画された空間である。
【００４３】
第１〜第４の側壁１１ａ〜１１ｄ、天井１１ｅ及び床１１ｆの少なくともいずれかは、金属を含む。例えば、第１〜第４の側壁１１ａ〜１１ｄ、天井１１ｅ及び床１１ｆは、それぞれ、金属部（例えば金属板）を有する。これにより、浴室１０の強度を向上させることができる。
【００４４】
図５は、実施形態に係る浴室の壁を例示する断面図である。  
図５は、図４に示すＡ１−Ａ１線断面の一部を例示している。  
第４の側壁１１ｄは、金属部Ｍ１と、樹脂部Ｒ１と、を有する。金属部Ｍ１は、例えば、壁面の略全体に沿って広がり、板状である。樹脂部Ｒ１は、金属部Ｍ１の浴室１０側の表面を覆う。第１〜第３の側壁１１ａ〜１１ｃ及び天井１１ｅの構造についても、同様である。なお、浴室の外側に位置する建物の躯体５０は、一般に非金属で構成されるため、リモコン３０からの電波は、躯体５０に遮られにくい。
【００４５】
図６は、実施形態に係る浴室の床を例示する断面図である。  
図６は、図４に示すＡ２−Ａ２線断面の一部を例示している。  
床１１ｆは、架台Ｆ１と、金属部Ｍ２と、樹脂部Ｒ２と、を有する。  
架台Ｆ１は、例えば、鋼材などの角材を縦横に組合わせて構成されたフレーム状である。架台Ｆ１は、支持脚Ｆ２を有し、浴室１０が設置される建物の躯体５０の上に設けられる。支持脚Ｆ２は、架台Ｆ１のうち鉛直方向に延びる部材である。
【００４６】
金属部Ｍ２は、架台Ｆ１の上に設けられる。金属部Ｍ２は、例えば、床面の略全体に沿って広がり、板状である。石膏ボード、木質系ボード、硬質ポリウレタンフォームなどの芯材を２枚の鋼板（金属部）で挟んだ構造を用いてもよい。
【００４７】
樹脂部Ｒ２は、金属部Ｍ２の上に設けられる。樹脂部Ｒ２は、例えば、金属部Ｍ２の略全体を覆う板状である。樹脂部Ｒ２は、樹脂で構成された防水パンや表面意匠シートが積層された構造を有する。
【００４８】
以上説明したように、浴室１０は、金属を含む壁１１で囲まれている。リモコン３０と受信部４０との間の通信に用いられる電波は、金属によって遮られる（反射される）ことがある。このため、受信部４０が設置される位置によっては、リモコン３０からの電波が壁１１の金属によって遮られ、受信部４０は、リモコン３０からの電波を受信できない場合がある。使用者が、建物内の浴室から離れた部屋から、リモコン３０で浴室機器２０を操作しようとしたときに、部屋によっては浴室機器２０を遠隔操作できない場合がある。
【００４９】
これに対して、実施形態においては、図１に示すように、受信部４０は、壁１１よりも上方に配置される。より具体的には、受信部４０は、第１〜第４の側壁１１ａ〜１１ｄのそれぞれの上端よりも上に位置する。受信部４０は、天井１１ｅよりも上に位置する。これにより、受信部４０が、壁１１による反射によってリモコン３０からの電波を受信しにくくなることを抑制できる。例えば、図１に示す電波Ｗ１、Ｗ２のように、リモコン３０からの電波は、壁１１の上方に回り込んで受信部４０へ到達することができる。従って、浴室１０が金属を含む壁１１で構成されていても、電波式のリモコン３０によって浴室機器２０を、浴室１０から離れた部屋から遠隔操作することができる。
【００５０】
また、受信部４０を壁１１よりも上方に配置することにより、浴室１０が設置された階の上階から浴室機器２０を遠隔操作しやすくなる。例えば、１階に浴室１０が設置された住宅の場合、２階から浴室機器２０を遠隔操作しやすくなる。
【００５１】
なお、受信部４０の位置は、壁１１よりも上方であれば、浴室１０の鉛直上方でなくてもよい。例えば、浴室１０に隣接する部屋（脱衣所など）の天井付近に、受信部４０が設置されてもよい。
【００５２】
図１に示す例では、受信部４０、制御部２７及び空調機器２１の一部は、浴室上部空間ＵＳに配置されている。浴室上部空間ＵＳとは、浴室１０の天井１１ｅと、建物の躯体５０の一部５１と、の間の空間をいう。躯体５０の一部５１は、浴室１０の上方（鉛直上方）に位置する部分である。すなわち、浴室上部空間ＵＳの下方は、天井１１ｅで仕切られており、浴室上部空間ＵＳの上方は、躯体５０の一部５１で仕切られている。
【００５３】
このように受信部４０や制御部２７を浴室上部空間ＵＳに配置することにより、受信部４０が例えば浴室に隣接する部屋等に露出しないため、デザイン性を損ねることなく、電波式のリモコン３０によって浴室機器２０を遠隔操作することが可能となる。
【００５４】
また、図１に示したように、受信部４０は、浴室機器２０（この例では空調機器２１）よりも上方に設けられる。すなわち、受信部４０は、浴室機器２０の上端よりも上に位置する。浴室上部空間ＵＳに複数の浴室機器２０が設けられた場合、受信部４０は、各浴室機器２０の上端よりも高い位置に設けられる。これにより、浴室機器２０が金属部材を含んでいても、リモコン３０からの電波が浴室機器２０によって遮られて受信部４０に届きにくくなることを抑制できる。
【００５５】
ここで、受信部４０は、保持部材４２により保持されている。保持部材４２は、例えばＬ字状であり、一部が天井１１ｅに固定され、別の一部が受信部４０に固定される。つまり、受信部４０は、保持部材４２によって間接的に天井１１ｅに固定されている。受信部４０は、間接的に躯体５０の一部５１に固定されてもよい。保持部材４２を用いることで、受信部４０の位置（高さなど）を調整することができる。
【００５６】
また、保持部材４２は、非金属材料で形成される。非金属材料は、樹脂を含まない材料であり、例えば樹脂である。これにより、リモコン３０からの電波が保持部材４２によって遮られて受信部４０に届きにくくなることを抑制できる。
【００５７】
図７は、実施形態に係る浴室及び浴室上部空間を例示する平面図である。  
図７は、図１に示した浴室上部空間ＵＳを上方から見た様子（上面視）を表す。浴室１０及び浴室上部空間ＵＳは、上方から見たときに略矩形である。  
図７に示すように、受信部４０は、上方から見たときに、浴室上部空間ＵＳの中央に配置される。例えば、上方から見たときに、受信部４０の一部が、浴室上部空間ＵＳの平面形状の重心と重なる。
【００５８】
浴室システム１００が設置される建物の間取りには、様々な場合が想定される。このため、リモコン３０と受信部４０との位置関係も様々な場合が想定される。ここで、受信部４０が第１〜第４の側壁１１ａ〜１１ｄのいずれかに偏って配置されていると、リモコン３０と受信部４０との位置関係によっては、リモコン３０からの電波が受信部４０に極端に届きにくくなる場合がある。これに対して、受信部４０が浴室上部空間の中央に配置することにより、浴室システム１００が設置される建物の間取りによって、リモコン３０からの電波が受信部４０に届きにくくなることを抑制できる。
【００５９】
また、図１及び図７に示すように、浴室１０の天井１１ｅには、リモコン３０からの電波（無線信号）が通過可能な電波通過部１２が設けられる。電波通過部１２は、天井１１ｅのうち、金属を含まない領域である。電波通過部１２は、開口部であってもよいし、樹脂等の非金属材料で形成されていてもよい。例えば天井１１ｅの金属部（金属板）に開口が設けられることで、電波通過部１２が形成される。この開口部（電波通過部１２）の大きさは、リモコン３０の電波（無線信号）の波長に基づいて定めることができる。例えば、電波通過部１２の最大寸法Ｌａは、リモコン３０の電波の波長の０．５倍以上である。なお、電波通過部１２の最大寸法Ｌａとは、その電波通過部１２が設けられた壁面（天井）に対して平行な方向における長さの最大値である。電波通過部１２の形状は、任意であるが、例えば略円形又は矩形であり、正方形が望ましい。
【００６０】
リモコン３０が浴室１０の内部に配置された場合、リモコン３０からの電波は、図１に示す電波Ｗ３のように、電波通過部１２を通って受信部４０へ到達することができる。これにより、浴室１０の内部からでも、電波式のリモコン３０で浴室機器２０を遠隔操作することができる。
【００６１】
図１及び図７に示す例では、受信部４０は、電波通過部１２の上（鉛直上方）に設けられる。受信部４０の少なくとも一部は、鉛直方向において電波通過部１２の一部と重なる。これにより、浴室１０の内部に配置されたリモコン３０からの電波が、より受信部４０へ届きやすい。
【００６２】
図８は、実施形態に係る別の浴室システムを例示する側面図である。  
図８に示す浴室システム１０１においては、前述した浴室システム１００と比べて、受信部４０の位置が異なる。  
図８に示すように、この例においても、受信部４０は、壁１１よりも上方に配置される。受信部４０は、浴室１０に隣接する部屋（脱衣所など）の天井付近に設置されている。このように、受信部４０の位置は、壁１１よりも上方であれば、浴室１０の鉛直上方でなくてもよい。
【００６３】
図９は、実施形態に係る別の浴室システムを例示する側面図である。  
図９に示す浴室システム１０２においては、例えば、制御部２７が設けられない。この場合、制御部２７以外の浴室機器２０（空調機器２１、掃除機器２２、給湯器２３、照明２４、排水栓２４及びマッサージ機器２６など）の動作を制御する信号は、制御部２７を介さずに、受信部４０から直接送信される。受信部４０と浴室機器２０との間の通信は、無線通信であってもよいし、有線通信であってもよい。  
あるいは、図９に破線で示した制御部２７のように、制御部２７は、その他の浴室機器２０と一体であってもよい。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０ 浴室、  １１ 壁、  １１ａ〜１１ｄ 第１〜第４の側壁、  １１ｅ 天井、  １１ｆ 床、  １２ 電波通過部、  １３ ドア、  １５ 浴槽、  ２０ 浴室機器、  ２１ 空調機器、  ２２ 掃除機器、  ２３ 給湯器、  ２４ 排水栓、  ２５ 照明、  ２６ マッサージ機器、  ２７ 制御部、  ３０ リモコン、  ４０ 受信部、  ４２ 保持部材、  ５０ 躯体、  ５１ 躯体の一部、  １００、１０１、１０２ 浴室システム、  Ｆ１ 架台、  Ｍ１、Ｍ２ 金属部、  Ｒ１、Ｒ２ 樹脂部、  ＵＳ 浴室上部空間、  Ｗ１、Ｗ２、Ｗ３ 電波
【図１】
2019047211.tif 000003
【図２】
2019047211.tif 000004
【図３】
2019047211.tif 000005
【図４】
2019047211.tif 000006
【図５】
2019047211.tif 000007
【図６】
2019047211.tif 000008
【図７】
2019047211.tif 000009
【図８】
2019047211.tif 000010
【図９】
2019047211.tif 000011